(57)【特許請求の範囲】
【請求項１】
ガータースプリング（６）によって軸（１９）またはライナー（１８）外周に固定される略凹形の環状体において、一方の側面を漁網止め壁（４）とし、他方の側面には外径方向に向かって斜めに伸延した薄板状の端面シール（２）を設けたゴム又は高分子材料の端面シール付漁網侵入防止リング（１）を装着し、
最後部シールリング（１０）の海水側に後部環状室（１７）を設け、その後部環状室（１７）によって前記端面シール付漁網侵入防止リング（１）を囲繞し、前記端面シール（２）は、前記後部環状室（１７）の船内側壁面を構成するケーシング（１４）に対して、根元から先端にかけて漸近して先端部が摺接し、
前記端面シール付漁網侵入防止リング（１）と最後部シールリング（１０）間の前部環状室（１６）に船内から流体を供給する配管（２１）を設け、端面シール付漁網侵入防止リング（１）の端面シール（２）摺接部を通して流体を船外に放出することを特徴とする船尾管シール装置。
【請求項２】
端面シール（２）摺動部が全面当たりしないように摺動幅制限の突起（３）を付設した請求項１に記載の端面シール付漁網侵入防止リング（１）を装着したことを特徴とする船尾管シール装置。
【発明の詳細な説明】
【０００１】
【産業上の利用分野】
本発明は、船舶の船尾管シール装置に関するものである。
【０００２】
【従来の技術】
従来の泥水侵入防止型船尾管シール装置を図５，６及び７に示す。図５に示す例では、船尾管シール装置９の最後部シールリング１０の海水側にゴムまたはエラストマー製の板状遮断板２３をケーシング２４によって取り付けている。図６では、最後部シールリング１０の海水側にもう一本の追加シールリング２５をケーシング２６によって取り付けている。更に最後部シールリング１０と追加シールリング２５の間の環状室２７に配管２１を介して船内から清水を供給し、追加シールリング２５とライナーの間からこれを船外へ流出させている。図７では、最後部シールリング１０の海水側に端面シール２８を配置し、最後部シールリング１０を固定しているケーシング２９と摺動するようにしている。これらはすべて船外の泥や砂などの異物がシール装置９の内部に侵入することを阻止する目的を持っている。
【０００３】
【発明が解決しようとする課題】
しかしながら、これらの方法には次のような欠点がある。図５及び６の場合、泥砂により板状遮断坂２３、シールリング２５は固よりライナー１８も摩耗することは避けられない。従って、船尾管シール装置９への泥水侵入や船尾管油２２の船外漏油する時間が延長出来たとしても、高価なライナー１８は摩耗のために通常の使用期間より短期間の内に交換しなければならない。また、図７の方法では端面シール２８を用いているのでライナー１８の摩耗は回避できるものの、端面シール２８は軸方向の移動が自由なため艤装時及び航行時の軸の移動により、その装着位置が適切な位置からずれて機能しなくなることもある。さらに、端面シール２８がケーシングによって保護されていないため、ライナー１８に漁網を巻込んだ場合には容易に損傷するおそれがある。これらの欠点を補って、ライナー１８の摩耗を軽減すると共に、漁網等によるシールリングの損傷を防止することができる端面シール付漁網侵入防止リング１を装着した後部船尾管シール装置９を提供する。
【０００４】
【課題を解決するための手段】
本発明は、ゴムまたは高分子材料製で略凹形の環状体において、その中央部に装着したガータースプリングによりライナーに固定され、一方の側面は漁網止め壁とし、もう一方の側面は外径方向に向かって斜めに伸延した薄板状の端面シールを設けた端面シール付漁網侵入防止リングを船舶の後部船尾管シール装置に装備するものである。
【０００５】
【作用】
端面シール付漁網侵入防止リングを後部船尾管シール装置の最も海水側に装備することによって、漁網は同リングの海水側の漁網止め壁によりシール装置内へ侵入が阻止される。また、同リングの船内側の端面シールにより泥砂を含んだ水がシール装置内に侵入するのを阻止することができる。
【０００６】
【実施例】
以下、本発明の実施例を図１〜図３に基づいて説明する。図１は端面シール付漁網侵入防止リング１の実施例を示すものであり、ゴム又は高分子材料製で略凹形の環状体において、その中央部に装着したガータースプリング６によりライナー１８に固定され、一方の側面の漁網止め４の内径側には僅かに下方方向に傾きを持ったひれ５があり、もう一方の側面には外径方向に向かって斜めに伸延した薄板状の端面シール２及び端面シール摺動部が全面当たりしないよう摺動幅制限用の突起３を等間隔に設けている。
【０００７】
図２は後部船尾管シール装置９に図１の端面シール付漁網侵入防止リング１を組み込んだものである。１０，１１及び１２はプロペラ軸１９に取り付けられたライナー１８に摺接するシールリングであり、これらは船体船尾部材２０に固着されている後部船尾管シール装置９のケーシング部材１３によって保持されている。シールリング１０及び１１は船尾側にあって海水側に向けて配列し海水を封止する作用を行う。また、シールリング１２は船内側に向けて配列し船尾管潤滑油２２を封止する作用を行う。この実施例においては、図１の実施例によって示した端面シール付漁網侵入防止リング１がシールリング１０の船尾側にケーシング１４及び１５によって構成された後部環状室１７に囲繞されているので、艤装時または航行時に軸移動があっても確実に端面シール２が機能する。また、端面シール２はケーシング１４に摺接し、シール部が全面当たりしないように等間隔に設けた突起３により、端面シール２の摺動幅が制限されている。海水中の漁網は漁網止め４及びひれ５にて阻止され、かつ河川における泥砂は端面シール２によってシール装置内９への侵入が阻止される。
【０００８】
図３は端面シール付漁網侵入防止リング１を装備した後部船尾管シール装置９の他の実施例であり、図２の実施例に船内から流体を供給する配管２１を加え、端面シール付漁網侵入防止リング１と最後部シールリング１０間の前部環状室１６に設けた端面シール２とケーシング１４との間の摺接部を通して流体を船外に放出し摺接部が摩耗しないように保護している。
【０００９】
【発明の効果】
本発明の端面シール付漁網侵入防止リングを船舶の後部船尾管シール装置に装備することにより、水中（海水中）に漂流する漁網を漁網止め及びひれにて阻止すると共に、泥砂を船内側の端面シールによってシール装置内に侵入することを防止することができる。特に端面シールによる泥砂の侵入防止効果によりライナーやシールリングの損傷を著しく軽減し、高価なライナー及びシールリングの長寿命化を計ることができる。また、最後部シールリング用のケーシングは２分割品なので、摩耗が生じた場合でも端面シール付漁網侵入防止リングと同様に軸抜き工事を行わなくても容易に交換できるので高額な修繕費を支払わなくても良い。尚、本発明は船尾管シール装置のみならず、スラスターシール装置など船外の海水や河川水を封止する各種軸シール装置にも適用できることは言うまでもない。
【図面の簡単な説明】
【図１】本発明における端面シール付漁網侵入防止リングの実施例を示す半裁断面図である。
【図２】本発明の図１による端面シール付漁網侵入防止リングを後部船尾管シール装置に装着した場合の実施例を示す半裁断面図である。
【図３】本発明の図１によるに端面シール付漁網侵入防止リングを後部船尾管シール装置に装着した場合の別の実施例を示す半裁断面図である。
【図４】従来の漁網侵入防止リングを示す半裁断面図である。
【図５】従来の泥水侵入防止型後部船尾管シール装置を示す半裁断面図である。
【図６】従来の泥水侵入防止型後部船尾管シール装置を示す半裁断面図である。
【図７】従来の泥水侵入防止型後部船尾管シール装置を示す半裁断面図である。
【符号の説明】
１  端面シール付漁網侵入防止リング
２  端面シール
３  突起
４  漁網止め（海水側）
５  ひれ
６  ガータースプリング
７  漁網侵入防止リング
８  漁網止め（船内側）
９  後部船尾管シール装置
１０  最後部シールリング（＃１）
１１  シールリング（＃２）
１２  シールリング（＃３）
１３  シールケーシング
１４  ケーシング（最後部シールリング用）
１５  ケーシング（端面シール付漁網侵入防止リング用）
１６  前部環状室（端面シール付漁網侵入防止リング１とシールリング１０間）
１７  後部環状室（ケーシング１４及び１５間）
１８  ライナー
１９  プロペラ軸
２０  船体船尾部材
２１  配管
２２  船尾管潤滑油
２３  板状遮断板
２４  ケーシング（板状遮断板２３用）
２５  追加シールリング
２６  ケーシング（追加シールリング２５用）
２７  環状室（追加シールリング２５とシールリング１０間）
２８  端面シール
２９  ケーシング（端面シール２８用）
【図１】
0003982723.tif 000002
【図２】
0003982723.tif 000003
【図３】
0003982723.tif 000004
【図４】
0003982723.tif 000005
【図５】
0003982723.tif 000006
【図６】
0003982723.tif 000007
【図７】
0003982723.tif 000008